(57)【特許請求の範囲】
【請求項１】
表表紙と背表紙と裏表紙を構成する表紙用シートにより、冊子の本身となる記録媒体束をコの字状にくるんで製本するくるみ製本を可能とし、
表表紙用、裏表紙用、背表紙用のページ画像と、本身用のページ画像とを、それぞれ入力するページ画像入力手段と、
前記ページ画像入力手段により入力されたページ画像に対してスタンプ画像を形成することを設定するスタンプ設定手段と、
前記ページ画像入力手段により入力されたページ画像、及び前記スタンプ設定手段により設定されたスタンプ画像を、表紙用シート及び本身用の記録媒体に形成する画像形成手段と、
前記スタンプ設定手段により表紙用シート及び本身用の記録媒体にスタンプ画像を形成することが設定された場合、本身用の各記録媒体と表紙用シートの表表紙及び裏表紙の画像に対しては前記画像形成手段によりスタンプ画像を形成する一方、表紙用シートの背表紙画像に対しては前記画像形成手段によるスタンプ画像の形成を禁止する制御手段と、
を有することを特徴とする画像形成システム。
【請求項２】
前記制御手段は、前記背表紙画像に対して前記スタンプ画像を割り当てないことを特徴とする請求項１に記載の画像形成システム。
【請求項３】
前記スタンプ画像は、ページ番号であることを特徴とする請求項１または２に記載の画像形成システム。
【請求項４】
前記ページ番号は、総ページ数を含み、
前記制御手段は、当該総ページ数のカウントにおいて前記背表紙画像を除外してカウントすることを特徴とする請求項３に記載の画像形成システム。
【請求項５】
前記背表紙画像は、前記ページ画像の他のページ画像とは独立したページ画像であることを特徴とする請求項１から４の何れか１項に記載の画像形成システム。
【請求項６】
冊子の本身となる記録媒体束をコの字状にくるむ表紙用シートの表表紙用、裏表紙用、背表紙用のページ画像と、本身用のページ画像とを、それぞれ入力するページ画像入力手段と、
前記ページ画像入力手段により入力されるページ画像に対してスタンプ画像を形成することを示すスタンプ設定情報が入力されるスタンプ設定情報入力手段と、
前記ページ画像入力手段により入力されたページ画像、及び前記スタンプ設定情報入力手段により入力されたスタンプ設定情報に基づくスタンプ画像を、表紙用シート及び本身用の記録媒体に形成する画像形成手段と、
前記スタンプ設定情報入力手段によるスタンプ設定情報が表紙用シート及び本身用の記録媒体にスタンプ画像を形成することを示している場合、本身用の各記録媒体と表紙用シートの表表紙及び裏表紙の画像に対しては前記画像形成手段によりスタンプ画像を形成する一方、表紙用シートの背表紙画像に対しては前記画像形成手段によるスタンプ画像の形成を禁止する制御手段と、
を有することを特徴とする画像形成装置。
【請求項７】
冊子の本身となる記録媒体束をコの字状にくるむ表紙用シートの表表紙用、裏表紙用、背表紙用のページ画像と、本身用のページ画像とが、それぞれ入力されるページ画像入力ステップと、
前記ページ画像入力ステップにより入力されるページ画像に対してスタンプ画像を形成することを示すスタンプ設定情報が入力されるスタンプ設定情報入力ステップと、
前記ページ画像入力ステップにより入力されたページ画像、及び前記スタンプ設定情報入力ステップにより入力されたスタンプ設定情報に基づくスタンプ画像を、表紙用シート及び本身用の記録媒体に形成する画像形成ステップと、
前記スタンプ設定情報入力ステップによるスタンプ設定情報が表紙用シート及び本身用の記録媒体にスタンプ画像を形成することを示している場合、本身用の各記録媒体と表紙用シートの表表紙及び裏表紙の画像に対しては前記画像形成ステップによりスタンプ画像を形成する一方、表紙用シートの背表紙画像に対しては前記画像形成ステップによるスタンプ画像の形成を禁止する制御ステップと、
をコンピュータに実行させることを特徴とするプログラム。
【発明の詳細な説明】
【技術分野】
【０００１】
本発明は、画像形成システム、画像形成装置及びプログラムに関する。
【背景技術】
【０００２】
表表紙、背表紙及び裏表紙が印刷された１枚の用紙で画像が形成された本身（用紙束）をコの字状に包み込んで冊子を形成するくるみ製本機能を有する画像形成システムが知られている（例えば、特許文献１参照）。
【０００３】
一方、転写紙を重ねて二つ折りにした小冊子を作成する画像形成装置において、小冊子形式に対応したページ印字方法が知られている（例えば、特許文献２参照）。
【特許文献１】特開２００２−３６１９６７号公報
【特許文献２】特開２００１−２７４９７７号公報
【発明の開示】
【発明が解決しようとする課題】
【０００４】
しかしながら、特許文献１及び２においては、くるみ製本形式におけるページ番号、社外秘、複写厳禁等のスタンプ印字方法については記載されていない。
【０００５】
本発明は、以上のような問題に鑑みてなされたものであり、くるみ製本形式に適したスタンプ印字を行うことのできる画像形成システム、画像形成装置及びプログラムを提供することを目的としている。
【課題を解決するための手段】
【０００６】
本発明の画像形成システムは、表表紙と背表紙と裏表紙を構成する表紙用シートにより、冊子の本身となる記録媒体束をコの字状にくるんで製本するくるみ製本を可能とし、表表紙用、裏表紙用、背表紙用のページ画像と、本身用のページ画像とを、それぞれ入力するページ画像入力手段と、前記ページ画像入力手段により入力されたページ画像に対してスタンプ画像を形成することを設定するスタンプ設定手段と、前記ページ画像入力手段により入力されたページ画像、及び前記スタンプ設定手段により設定されたスタンプ画像を、表紙用シート及び本身用の記録媒体に形成する画像形成手段と、前記スタンプ設定手段により表紙用シート及び本身用の記録媒体にスタンプ画像を形成することが設定された場合、本身用の各記録媒体と表紙用シートの表表紙及び裏表紙の画像に対しては前記画像形成手段によりスタンプ画像を形成する一方、表紙用シートの背表紙画像に対しては前記画像形成手段によるスタンプ画像の形成を禁止する制御手段と、を有することを特徴としている。
【０００７】
本発明の画像形成装置は、冊子の本身となる記録媒体束をコの字状にくるむ表紙用シートの表表紙用、裏表紙用、背表紙用のページ画像と、本身用のページ画像とを、それぞれ入力するページ画像入力手段と、前記ページ画像入力手段により入力されるページ画像に対してスタンプ画像を形成することを示すスタンプ設定情報が入力されるスタンプ設定情報入力手段と、前記ページ画像入力手段により入力されたページ画像、及び前記スタンプ設定情報入力手段により入力されたスタンプ設定情報に基づくスタンプ画像を、表紙用シート及び本身用の記録媒体に形成する画像形成手段と、前記スタンプ設定情報入力手段によるスタンプ設定情報が表紙用シート及び本身用の記録媒体にスタンプ画像を形成することを示している場合、本身用の各記録媒体と表紙用シートの表表紙及び裏表紙の画像に対しては前記画像形成手段によりスタンプ画像を形成する一方、表紙用シートの背表紙画像に対しては前記画像形成手段によるスタンプ画像の形成を禁止する制御手段と、を有することを特徴としている。
【０００８】
本発明のプログラムは、冊子の本身となる記録媒体束をコの字状にくるむ表紙用シートの表表紙用、裏表紙用、背表紙用のページ画像と、本身用のページ画像とが、それぞれ入力されるページ画像入力ステップと、前記ページ画像入力ステップにより入力されるページ画像に対してスタンプ画像を形成することを示すスタンプ設定情報が入力されるスタンプ設定情報入力ステップと、前記ページ画像入力ステップにより入力されたページ画像、及び前記スタンプ設定情報入力ステップにより入力されたスタンプ設定情報に基づくスタンプ画像を、表紙用シート及び本身用の記録媒体に形成する画像形成ステップと、前記スタンプ設定情報入力ステップによるスタンプ設定情報が表紙用シート及び本身用の記録媒体にスタンプ画像を形成することを示している場合、本身用の各記録媒体と表紙用シートの表表紙及び裏表紙の画像に対しては前記画像形成ステップによりスタンプ画像を形成する一方、表紙用シートの背表紙画像に対しては前記画像形成ステップによるスタンプ画像の形成を禁止する制御ステップと、をコンピュータに実行させることを特徴としている。
【発明の効果】
【０００９】
本発明によれば、少なくとも背表紙画像に対してはスタンプの割り当てを行わないので、表紙用紙の背表紙部分にスタンプが印字されることが無く、くるみ製本形式に適したスタンプ印字を行うことができる。
【発明を実施するための最良の形態】
【００１０】
（システム構成）
図１は、本実施形態に係る画像形成システムの構成を示すブロック図である。画像形成装置１０及びパーソナルコンピュータ３０から構成されている。画像形成装置１０は、パーソナルコンピュータ３０あるいは画像形成装置１０の原稿読取部１５から送信されてくる画像データに基づいて、記録媒体上に画像形成を行い、くるみ製本を行う。なお、本実施形態において、くるみ製本方法として、記録媒体束をコの字状に覆った表紙用のシートと記録媒体束とを記録媒体束の背部に塗布された接着剤により接着する例をとり説明するが、これに限定されない。くるみ製本方法としては、記録媒体束を表紙用のシートによりコの字状にくるんで製本するものであればよく、例えば、記録媒体束と表紙用のシートとをステープルにより固定するものでもよい。
【００１１】
画像形成装置１０は、プログラムに従って画像形成装置１０の各種制御を実行するＣＰＵ１１を中心に、バス１２により、ＲＯＭ１３、ＲＡＭ１４、原稿読取部１５、画像形成部１６、製本部１７、不揮発性メモリ１８、操作部１９、表示部２０、及び通信部２１が相互に接続されている。
【００１２】
ＲＯＭ１３は、各種プログラムやデータを記憶しており、ＣＰＵ１１がこれらプログラムやデータを利用して画像形成装置１０の制御を実行する。
【００１３】
ＲＡＭ１４は、ＣＰＵ１１によってワークエリアとして利用され、ＣＰＵ１１が制御を実行する際に必要なプログラムやデータを一時的に記憶する。
【００１４】
原稿読取部１５は、原稿を読み取って画像データを生成する。生成された画像データは、画像形成部１６に出力される。
【００１５】
画像形成部１６は、原稿読取部１５又はパーソナルコンピュータ３０から入力される画像データに基づいて記録媒体上に画像形成を行う。
【００１６】
くるみ製本部１７は、画像形成部１６から搬入される記録媒体を加工してくるみ製本を行う。
【００１７】
不揮発性メモリ１８は、ページ番号や各種スタンプの画像を記憶する。
【００１８】
操作部１９は、ユーザにより操作され、各種モードの選択、画像形成指示等が入力される。
【００１９】
表示部２０は、各種操作画面、設定画面等を表示する。表示部２０がタッチパネルで構成され、操作部１９を兼ねていてもよい。
【００２０】
通信部２１は、パーソナルコンピュータ３０に接続され、パーソナルコンピュータ３０から送信されてくる画像データを受信する。
【００２１】
パーソナルコンピュータ３０は、プログラムに従ってパーソナルコンピュータ３０の制御を実行するＣＰＵ３１を中心として、バス３２により、ＲＯＭ３３、ＲＡＭ３４、ハードディスク３５、操作部３６、表示部３７、及び通信部３８が相互に接続されている。
【００２２】
ＲＯＭ３３は、各種プログラムやデータを記憶しており、ＣＰＵ３１がこれらプログラムやデータを利用してパーソナルコンピュータ３０の制御を実行する。
【００２３】
ＲＡＭ３４は、ＣＰＵ３１によってワークエリアとして利用され、ＣＰＵ３１が制御を実行する際に必要なプログラムやデータを一時的に記憶する。
【００２４】
ハードディスク３５は、画像データを作成するアプリケーションプログラム、プリンタドライバ等を記憶する。
【００２５】
操作部３６は、ユーザにより操作され、アプリケーションプログラム画面上、プリンタドライバ画面上等において各種入力が行われる。
【００２６】
表示部３７は、アプリケーションプログラム画面、プリンタドライバ画面等を表示する。
【００２７】
通信部３８は、画像形成装置１０に接続され、画像形成装置に画像データを送信する。
【００２８】
（ページ印字概要）
次に、スタンプ画像の一例として、ページ番号を印字する場合について説明する。図２及び図３に、本実施形態に係るくるみ製本形式での画像形成部１６において行われるページ印字の一例を示す。一例であり、これに限定されない。尚、用紙の片面に印字が行われるものとする。
【００２９】
図２は、入力ページ画像データが、表表紙、本身（表表紙と裏表紙とを含む表紙用のシートで覆われる記録媒体束）、裏表紙、背表紙の順で画像形成装置１０へ送信されてくる場合のページ印字例を示している。図２（ａ）は、画像形成装置１０に入力されてくる入力ページ画像データの順番を示しており、１番目が表表紙、２〜７番目が本身、８番目が裏表紙、９番目が背表紙のページ画像データに相当している。これらのページ画像データは、パーソナルコンピュータ３０、又は原稿読取部１５から入力される。
【００３０】
図２（ｂ）は、表紙用のシートである表紙用紙Ｋにページ印字を行う場合における、画像形成部１６から出力される記録媒体としての用紙の順番及びページ印字状態を示している。まず、本身用紙Ｈに、２〜７番目の入力ページ画像及びページ番号２／８〜７／８が順番に印字される。次に、表紙用紙Ｋに、表表紙画像に対応する１番目の入力ページ画像、裏表紙画像に対応する８番目の入力ページ画像及び背表紙画像Ｓに対応する９番目の入力ページ画像、並びに、表表紙画像に対応するページ番号１／８及び裏表紙画像に対応するページ番号８／８が合成されて印字される。背表紙画像Ｓに対応する９番目の入力ページ画像に対しては、ページ印字は行われない。なお、図２（ｂ）において印字されるページ番号１／８〜８／８の分母部分はページ総数を表し、図２（ｂ）においては、本身に対応するページ数と表表紙に対応するページ数と裏表紙に対応するページ数との和である。つまり、図２（ｂ）においては、背表紙に対応するページ数を除いてページ数をカウントすることにより、総ページ数を決定している。
【００３１】
図２（ｃ）は、表紙用紙Ｋにページ印字を行わない場合における、画像形成部１６から出力される用紙の順番及びページ印字状態を示している。まず、本身用紙Ｈに、２〜７番目の入力ページ画像及びページ番号１／６〜６／６が順番に印字される。次に、表紙用紙Ｋに、表表紙画像に対応する１番目の入力ページ画像、裏表紙画像に対応する８番目の入力ページ画像及び背表紙画像Ｓに対応する９番目の入力ページ画像が合成されて印字される。表表紙画像に対応する１番目の入力ページ画像、裏表紙画像に対応する８番目の入力ページ画像及び背表紙画像Ｓに対応する９番目の入力ページ画像に対しては、ページ印字は行われない。なお、図２（ｃ）においては、背表紙、表表紙及び背表紙に対応するページ数を除いてページ数をカウントすることにより、総ページ数を決定している。
【００３２】
このように、図２においては、少なくとも背表紙にはページ印字を行わず、少なくとも背表紙に対応するページ数は、総ページ数を決定するためのページ数のカウントには含めないようにしている。これにより、製本された冊子に適合したページ印字の施された見栄えのよい冊子を作成することができる。
【００３３】
図３は、入力ページ画像が、表表紙画像Ｆ・裏表紙画像Ｂ・背表紙画像Ｓの合成画像、本身の順で送信されてくる場合のページ印字例を示している。図３（ａ）は、画像形成装置１０に入力されてくる入力ページ画像の順番を示しており、１番目が表表紙画像Ｆ・裏表紙画像Ｂ・背表紙画像Ｓの合成画像、２〜５番目が本身画像のページ画像に相当している。これらのページ画像は、パーソナルコンピュータ３０、又は原稿読取部１５から入力される。
【００３４】
図３（ｂ）は、表紙用紙Ｋにページ印字を行う場合における、画像形成部１６から出力される用紙の順番及びページ印字状態を示している。まず、本身用紙Ｈに、２〜５番目の入力ページ画像及びページ番号２／６〜５／６が順番に印字される。次に、表紙用紙Ｋに、表表紙画像Ｆ・裏表紙画像Ｂ・背表紙画像Ｓの合成画像に対応する１番目の入力ページ画像、及び表表紙画像Ｆに対応するページ番号１／６及び裏表紙画像Ｂに対応するページ番号６／６が印字される。背表紙画像Ｓに対応しては、ページ印字は行われない。また、背表紙に対応するページ数１を除いてページ数をカウントすることにより、総ページ数６を決定している。
【００３５】
図３（ｃ）は、表紙用紙Ｋにページ印字を行わない場合における、画像形成部１６から出力される用紙の順番及びページ印字状態を示している。まず、本身用紙Ｈに、２〜５番目の入力ページ画像及びページ番号１／４〜４／４が順番に印字される。次に、表紙用紙Ｋに、表表紙画像Ｆ・裏表紙画像Ｂ・背表紙画像Ｓの合成画像に対応する１番目の入力ページ画像が印字される。表表紙画像Ｆ・裏表紙画像Ｂ・背表紙画像Ｓの合成画像に対応する１番目の入力ページ画像に対しては、ページ印字は行われない。また、背表紙、表表紙及び背表紙に対応するページ数を除いてページ数をカウントすることにより、総ページ数４を決定している。
【００３６】
上記の例では、用紙の片面に印字する場合について説明したが、用紙の両面に印字する場合も同様に可能である。
【００３７】
（ページ印字制御）
図４は、本実施形態に係るページ印字制御を示すフロー図である。一例として、図２の場合のフロー図を示す。尚、入力ページ画像データは、パーソナルコンピュータ３０から送信されてくるものとする。
【００３８】
＜パーソナルコンピュータ３０の制御＞
まず、パーソナルコンピュータ３０において、操作部３６によりアプリケーションプログラムの起動指示が行われると、ＣＰＵ３１は、アプリケーションプログラムを起動し、ハードディスク３５からアプリケーションプログラムをＲＡＭ３４にロードし、アプリケーション画面を表示部３７に表示する（ステップＳ１０）。次に、ＣＰＵ３１は、アプリケーションプログラム画面に対する操作部３６からの入力に基づき、図２（ａ）に示されるページ画像データを生成する（ステップＳ１１）。
【００３９】
次に、操作部３６によりアプリケーション画面上で印刷メニューが選択されると（ステップＳ１２）、ＣＰＵ３１は、プリンタドライバを起動し、ハードディスク３５からプリンタドライバをＲＡＭ３４にロードし、プリンタドライバ画面を表示部３７に表示する（ステップＳ１３）。
【００４０】
次に、操作部３６により、「くるみ綴じ：あり」、「入力ページ画像形式：表表紙、本身、裏表紙、背表紙の順」、「本身：片面印字」、「表紙：片面印字」、「ページ印字：あり」、「表紙ページ印字：あり」、等のページ印字条件を含む印刷条件設定が、プリンタドライバ画面上で行われ、ＣＰＵ３１に入力される（ステップＳ１４）。
【００４１】
次に、操作部３６により、印刷実行指示がなされると（ステップＳ１５）、ＣＰＵ３１は、ステップＳ１１で作成されたページ画像データ及びステップＳ１４で入力された印刷条件設定を、通信部３８を介して画像形成装置１０に送信する（ステップＳ１６）。
【００４２】
＜画像形成装置の制御＞
次に、画像形成装置１０のＣＰＵ１１は、ステップＳ１６で送信されたページ画像データ及び印刷条件設定を、通信部２１を介してパーソナルコンピュータ３０から受信し、ＲＡＭ１４に記憶させる（ステップＳ２０）。
【００４３】
次に、ＣＰＵ１１は、ＲＡＭ１４に記憶した印刷条件設定に基づいて、ＲＡＭ１４に記憶したページ画像データから表紙用紙Ｋに印字するページ画像を決定する（ステップＳ２１）。本実施形態の場合、「入力ページ画像形式：表表紙、本身、裏表紙、背表紙の順」、「本身：片面印字」、「表紙：片面印字」の設定により、最初である１番目のページ画像が表表紙画像、最後の１つ前である８番目のページ画像が裏表紙画像、最後である９番目のページ画像が背表紙画像となるように決定される。
【００４４】
次に、ＣＰＵ１１は、ＲＡＭ１４に記憶した印刷条件設定に基づいて、ページ印字を行うか否かを判断する（ステップＳ２２）。ページ印字を行うと判断すると（ステップＳ２２；Ｙｅｓ）、ＣＰＵ１１は、表紙ページ印字を行うか否かを判断する（ステップＳ２３）。ページ印字を行わないと判断すると（ステップＳ２２；Ｎｏ）、ＣＰＵ１１は、ステップＳ２６に進む。本実施形態の場合、「ページ印字：あり」の設定により、ページ印字を行うと判断され、ステップＳ２３に進む。
【００４５】
ステップＳ２３において、表紙ページ印字を行うと判断すると（ステップＳ２３；Ｙｅｓ）、ＣＰＵ１１は、ページ画像数がＮの場合、１番目のページ画像に１ページ、２番目のページ画像に２ページ、・・・、（Ｎ−１）番目のページ画像に（Ｎ−１）ページを割り当てる。また、（Ｎ−１）を総ページ数として割り当てる（ステップＳ２４）。背表紙画像ＳであるＮ番目の画像に対してはページ番号は割り当てられない。本実施形態の場合、図２（ｂ）に示されるようなページ番号の割り当てとなる。このように、本実施形態においては、背表紙画像ＳであるＮ番目の画像に対してページ番号を割り当てないことにより、結果的に、背表紙にページ番号が印字されることが禁止される。
【００４６】
ステップＳ２３において、表紙ページ印字を行わないと判断すると（ステップＳ２３；Ｎｏ）、ＣＰＵ１１は、ページ画像数がＮの場合、２番目のページ画像に１ページ、３番目のページ画像に２ページ、・・・、（Ｎ−２）番目のページ画像に（Ｎ−３）ページを割り当てる。また、（Ｎ−３）を総ページ数として割り当てる（ステップＳ２５）。表表紙画像である１番目の画像、裏表紙であるＮ−１番目の画像、及び背表紙画像ＳであるＮ番目の画像に対してはページ番号は割り当てられない。本実施形態の場合、図２（ｃ）に示されるようなページ番号の割り当てとなる。
【００４７】
ステップ２６では、ＣＰＵ１１は、ステップＳ２１において決定した表紙用紙Ｋに印字するページ画像を除くページ画像を、入力されてきた順に本身用紙Ｈに印字するよう画像形成部１６を制御するとともに、当該ページ画像にページ番号が割り当てられていれば、割り当てられているページ番号に対応するページ番号画像を不揮発性メモリ１８から読み出し、本身用紙Ｈに印字するよう画像形成部１６を制御する。また、ＣＰＵ１１は、ステップＳ２１において決定した表紙用紙Ｋに印字するページ画像を表紙用紙Ｋに印字するよう画像形成部１６を制御する。
【００４８】
次に、ＣＰＵ１１は、画像形成部１６において印字された本身用紙Ｈを、画像形成部１６において印字された表紙用紙Ｋで包み込んでくるみ製本を行うようくるみ製本部１７を制御する（ステップＳ２７）。
【００４９】
以上のように、本実施形態によれば、少なくとも背表紙画像に対してはページ番号の割り当てを行わないので、表紙用紙Ｋの背表紙部分にページ番号が印字されることが無く、くるみ製本形式に適したページ印字を行うことができる。また、総ページ数を印字する場合には背表紙画像を除外してカウントするので、適切なページ印字を行うことができる。
【００５０】
図２（ａ）における入力ページ画像データは、背表紙画像が他のページ画像データとは独立したページ画像データとなっている、つまり背表紙画像データと他のページ画像データとは異なるページの画像データとなっているので、ページ単位で簡単にスタンプの割り当てを行わないように設定することができ好ましい。
【００５１】
また、図４においては、図２の場合のページ数印字のフローについて説明したが、ステップＳ２０において、入力された画像データが図３（ａ）の順であることを認識することにより、図３の場合にも適用可能である。
【００５２】
本実施形態では、パーソナルコンピュータ３０において入力ページ画像の作成及び印刷条件の設定を行ったが、画像形成装置１０の原稿読取部１５により原稿を読み取って入力ページ画像を作成し、画像形成装置１０の操作部１９により印刷条件の設定を行ってもよい。
【００５３】
本実施形態では、画像形成装置１０に原稿読取部１５、くるみ製本部１７を設けたが、原稿読取部１５、くるみ製本部１７は、画像形成装置１０とは独立した装置であってもよい。
【００５４】
本実施形態では、スタンプ印字としてページ印字の場合について説明したが、「社外秘」、「複写厳禁等」の印字の場合についても、少なくとも背表紙画像に対しては当該印字の割り当てを行わないことで、くるみ製本形式に適した印字を行うことができる。
【図面の簡単な説明】
【００５５】
【図１】本実施形態に係る画像形成システムの構成を示すブロック図である。
【図２】本実施形態に係るくるみ製本形式での画像形成部１６において行われるページ印字の一例であり、入力ページ画像が、表表紙、本身、裏表紙、背表紙の順で送信されてくる場合のページ印字例を示している。
【図３】本実施形態に係るくるみ製本形式での画像形成部１６において行われるページ印字の一例であり、入力ページ画像が、表表紙・裏表紙・背表紙の合成画像、本身の順で送信されてくる場合のページ印字例を示している。
【図４】本実施形態に係るページ印字制御を示すフロー図である。
【符号の説明】
【００５６】
１０  画像形成装置
１１  ＣＰＵ
１５  原稿読取部
１６  画像形成部
１９  操作部
３０  パーソナルコンピュータ
３１  ＣＰＵ
３６  操作部
【図１】
0004730103.tif 000002
【図２】
0004730103.tif 000003
【図３】
0004730103.tif 000004
【図４】
0004730103.tif 000005